(57)【特許請求の範囲】
【請求項１】
被検眼の眼底を照明する照明光学系と、眼底を撮影する撮影光学系と、該撮影光学系を介して得られた眼底画像を色信号及び輝度信号に変換して出力する撮像手段と、カラー撮影モードと蛍光撮影モードとの何れか一方を選択する撮影モード選択手段と、該撮影モード選択手段の選択に従って前記撮像手段の出力信号を選択する信号選択手段と、該信号選択手段により選択された前記出力信号を記録再生する画像記録再生手段と、前記照明光学系又は前記撮影光学系に波長選択フィルタを挿脱する駆動手段とを備え、前記撮影モード選択手段により前記カラー撮影モードが選択された場合には前記信号選択手段は前記撮像手段の出力のうちの所定の色信号及び所定の輝度信号を選択し、前記蛍光撮影モードが選択された場合には前記信号選択手段は前記撮像手段の出力のうちの所定の輝度信号を選択すると共に、前記駆動手段は前記波長選択フィルタを前記照明光学系又は前記撮影光学系に挿入することを特徴とする眼科撮影装置。
【請求項２】
前記画像記録再生手段から再生した信号を表示するモニタと、レビューモードと連続記録モードとの何れか一方を選択する記録モード選択手段とを備え、前記レビューモードが選択された場合には眼底撮影毎に前記画像を前記モニタに表示することを特徴とする請求項１に記載の眼科撮影装置。
【請求項３】
前記波長選択フィルタを検知するフィルタ検知手段とを備えたことを特徴とする請求項１又は２に記載の眼科撮影装置。
【発明の詳細な説明】
【０００１】
【産業上の利用分野】
本発明は、眼底撮影装置に関するものである。
【０００２】
【従来の技術】
従来の、眼底撮影装置において、電子画像を記録する場合において、カラー画像を撮影する際にはカラーテレビカメラを用い、蛍光画像を撮影する際には白黒テレビカメラを用いている。
【０００３】
また、従来の眼底撮影装置において、電子画像を記録するときやカラー画像を記録する際には、記録モードを手動によりレビューにし、撮影結果をモニタで確認しながら撮影を行い、蛍光画像を記録する際には、記録モードを手動で連続撮影モードにし、撮影結果の確認を行わず秒１コマの撮影を行っている。
【０００４】
【発明が解決しようとする課題】
しかしながら上記従来例においては、記録する画像の種類カラー画像か蛍光画像によって、テレビカメラをカラーか白黒テレビカメラに切換えたり、接続し直したりする煩わしさがある。
【０００５】
また、テレビカメラの交換の手間を省いて、カラーテレビカメラを蛍光撮影等の単色光撮影に用いると、特定の色フィルタを通して撮像されるため不自然な発光の蛍光画像となり、従来の銀鉛フィルムの蛍光画像と色が異なってしまい、診断に支障が生ずることがある。
【０００６】
更に、手動での切換えが煩わしく、切換えを忘れると秒−撮影ができないため、蛍光撮影の撮影タイミングを逃がすという問題を生じている。
【０００７】
本発明の目的は、上述の課題を解決し、カラーテレビカメラを用いても、不要な発色のない蛍光画像が得られる眼底撮影装置を提供することにある。
【０００８】
【課題を解決するための手段】
上記目的を達成するための本発明に係る眼科撮影装置は、被検眼の眼底を照明する照明光学系と、眼底を撮影する撮影光学系と、該撮影光学系を介して得られた眼底画像を色信号及び輝度信号に変換して出力する撮像手段と、カラー撮影モードと蛍光撮影モードとの何れか一方を選択する撮影モード選択手段と、該撮影モード選択手段の選択に従って前記撮影手段の出力信号を選択する信号選択手段と、該信号選択手段により選択された前記出力信号を記録再生する画像記録再生手段と、前記照明光学系又は前記撮影光学系に波長選択フィルタを挿脱する駆動手段とを備え、前記撮影モード選択手段により前記カラー撮影モードが選択された場合には前記信号選択手段は前記撮像手段の出力のうちの所定の色信号及び所定の輝度信号を選択し、前記蛍光撮影モードが選択された場合には前記信号選択手段は前記撮像手段の出力のうちの所定の輝度信号を選択すると共に、前記駆動手段は前記波長選択フィルタを前記照明光学系又は前記撮影光学系に挿入することを特徴とする。
【０００９】
【作用】
上述の構成を有する発明に係る眼底撮影装置においては、記録する眼底像の撮影モードを選択する手段とこの手段が選択した撮影モード設定状態から、画像記録装置に記録される画像モードを選択する手段を設けることにより、カラー画像撮影時にはカラー画像として、或いは蛍光等の単色光撮影時には白黒画像として眼底像を記録する。
【００１０】
【実施例】
本発明を図示の実施例に基づいて詳細に説明する。
図１は一般的な眼底撮影装置の構成図を示している。光源１から被検眼Ｅまでの光路上Ｏ１には、レンズ２、中心部に開口部３ａを有する孔あきミラー３、対物レンズ４が配置され、孔あきミラー３の背後の光路Ｏ２上には、フォーカスレンズ５、撮影レンズ６、跳ね上げミラー７、フィルム８が配置されている。跳ね上げミラー７の反射方向の光路上には、ミラー９、ピント板１０、ファインダレンズ１１が配置されている。
【００１１】
また、１２はコントロールボックスであり、このコントロールボックス１２から光源１、及びフォーカスレンズ５を駆動するフォーカスレンズ駆動手段１３に出力がなされ、フォーカス調整スイッチ１４、撮影スイッチ１５が接続されている。
【００１２】
観察時においては、光源１を発した光束はリレーレンズ２を通り、孔あきミラー３において反射され、対物レンズ４を通って被検眼Ｅの瞳Ｅｐを介して眼底Ｅｒを照明する。眼底像は対物レンズ４、孔あきミラー３の開口３ａ、フォーカスレンズ５、撮影レンズ６を通り、跳ね上げミラー７、ミラー９により反射されピント板１０の付近に結像する。撮影者はファインダレンズ１１を通してその像を観察する。そして、眼底像の結像位置がピント板１０とずれている場合には、フォーカス調整スイッチ１４により眼底像結像位置がピント板１０と一致するようにフォーカスレンズ５の位置を調整する。フォーカスレンズ５はスイッチ１４の入力を受け、コントロールボックス１２を介して例えばリニアモータから成るレンズ駆動手段１３により移動する。フォーカスレンズ５の位置はコントロールボックス１３で常に検知しており、コントロールボックス１２はこのフォーカスレンズ５の位置から撮影時の光源１の発光光量を決定する。
【００１３】
撮影者はピント合わせ動作を終了し、撮影部位及びフレアの有無を確認した後に撮影スイッチ１５を押す。跳ね上げミラー７は光路外に退避し、光源１は前記手段から求めた発光量の光束を発光し、その光束は観察光と同様に被検眼Ｅの眼底Ｅｒを照明し、眼底像は対物レンズ４、孔あきミラー３の開口部３ａ、フォーカスレンズ５、撮影レンズ６を通りフィルム８上に結像し記録され撮影を終了する。
【００１４】
図２は被検眼をカラーテレビカメラで撮影する電子画像記録装置の第１の実施例に係るブロック回路構成図であり、被検眼を撮影するカラーテレビカメラ２８の出力が、色信号選択装置２９を介して、記録装置３０に接続され、眼底撮影装置の本体に組み込まれている撮影モード選択装置３１の出力が、記録モード選択装置３２を介して、色信号選択装置２９に接続されている。
【００１５】
カラー画像の撮影時に、撮影モード選択装置３１においてカラー画像の撮影モードを選択すると、適切な撮影光量の決定と必要に応じて照明及び撮影用フィルタの選択がなされる。そして、図示しない撮影スイッチを押すと、図３に示すような眼底像がカラーテレビカメラ２８で撮像される。
【００１６】
図４はカラーテレビカメラ２８の出力信号の１本の走査線信号を示しており、カラーテレビカメラ２８の出力信号は色信号である３．５８ＭＨｚのバースト波と輝度信号の重畳であり、カラー画像を形成している。
【００１７】
記録モード選択装置３２において、撮影モード選択装置３１の設定されたモードによりカラー画像を得るために、輝度信号及び色信号を出力信号とする命令を色信号選択装置２９に送る。色信号選択装置２９は輝度及び色信号を出力し、記録装置３０においてカラー画像が記録される。
【００１８】
蛍光画像の撮影の際には、被検眼に蛍光剤を静注する。撮影モード選択装置３１において、蛍光撮影モードを選択するとエキサイタルフィルタとバリアフィルタが用意される。撮影スイッチを押すと、カラーテレビカメラ２８に図５に示すような蛍光眼底が撮像される。
【００１９】
カラー画像の撮影の際と同様に、カラーテレビカメラ２８の出力信号は図６に示す輝度信号と３．５８ＭＨｚのバースト波の色信号の重ね合わせとなっている。ところが、蛍光画像撮影は単色撮影であるため、記録モード選択装置３２は色信号が不要であるという判断をする。この判断に基づいて、色信号選択装置２９は図７に示す輝度信号のみを出力し、記録装置３０には不要な発色のない蛍光画像が記録される。
【００２０】
色信号選択装置２９としては、図８に示す３．５８ＭＨｚのバースト波を通さないノッチフィルタ３３を用いた構成が考えられる。記録装置３０としては、近年スチールビデオが広く用いられているが、光ディスク、光磁気ディスク等でも好適であり、動画用ビデオを用いてもよい。
【００２１】
図９はＲＧＢ出力を有するカラーテレビカメラ２８を用いた第２の実施例を示し、先の図２において３原色信号を処理するようになっている。この例において、輝度信号ＹはＲ、Ｇ、Ｂの各信号に信号固有の係数を乗じて重み付けをしたものの和、
Ｙ＝ｒＲ＋ｇＧ＋ｂＢ
として表される。一方、色信号は２種の色差信号Ｓ１、Ｓ２として表される。
【００２２】
この場合には、色信号選択装置２９において輝度信号Ｙのみを出力するか、或いは輝度信号Ｙ及び色差信号Ｓ１、Ｓ２を出力するかを選択をする。また、カラー画像を記録する際には、Ｒ、Ｇ、Ｂの信号を出力してもよい。更に、テレビカメラの代りに他の二次元光学変換素子を用いてもよく、この場合には各素子からの画素信号を読み出して画像を合成すればよい。
【００２３】
蛍光撮影では、眼底撮影装置の他にフォトスリットランプを用いた前眼部蛍光撮影が知られており、この場合にも眼底撮影装置に用いた実施例と同様の作用効果が得られる。また、蛍光撮影以外にレッドフリーフィルタ等の特定波長選択フィルタを用いた単色光撮影の場合にも、眼底像を白黒画像として記録できる。
【００２４】
図１０は第３の実施例のブロック回路構成図であり、図２と同様にカラーテレビカメラ２８、色信号選択装置２９、画像記録装置３０が接続され、撮影モード選択装置３１と記録モード選択装置３２と色信号選択装置２９とが接続されており、更にフィルタ検知回路３４が記録モード選択装置３２に接続されている。
【００２５】
この場合に、フィルタ検知回路３４において照明又は撮影光学系に特定波長選択フィルタが挿入されているか否かを検知し、この検知したフィルタの状態を記録モード選択装置３２に出力する。記録モード選択部３２において、撮影モード選択装置３１とフィルタ検知回路３４からの情報から、記録する眼底像をカラー画像にするか白黒画像にするかの判断を行う。
【００２６】
図１１は第４の実施例に係る電子画像記録装置のブロック回路構成図であり、被検眼を撮影するテレビカメラ３５の出力が記録装置３０に接続され、眼底撮影装置の本体に組み込まれている撮影モード選択装置３１の出力が記録モード選択装置３２を介して、記録装置３０に接続されている。また、記録装置３０にはモニタ３６が接続されている。
【００２７】
カラー画像の撮影時に撮影モードを選択すると、先の実施例と同様に適切な撮影光量の決定と必要に応じて照明及び撮影用フィルタの選択がなされる。そして、撮影スイッチを押すと、図３に示すような眼底像がテレビカメラ３５で撮像される。
【００２８】
このとき、記録モードは記録モード選択装置によりレビューモードが選択されているため、記録後直ちに再生を行い、モニタ３６により記録画像の確認が可能となる。次に撮影を行う際には、再び記録装置を記録準備状態にした後に撮影スイッチを押せばよい。以後、上述の操作を繰り返すことになる。
【００２９】
蛍光画像の撮影の際には、被検眼に蛍光剤を静注する。撮影モード選択装置３１において、蛍光撮影モードを選択するとエキサイタルフィルタとバリアフィルタが用意される。撮影スイッチを押すと、テレビカメラ３５により図５に示すような蛍光眼底が撮像される。
【００３０】
このとき、記録モードは記録モード選択装置により連続記録モードが選択されているため、撮影スイッチを押し続けている間、毎秒１枚の眼底像が記録される。蛍光撮影時にレビューモードでは、再生トラックから記録トラックにヘッドの移動時間が掛かり、毎秒１枚の撮影が不可能である。
【００３１】
【発明の効果】
以上説明したように本発明に係る眼科撮影装置においては、眼底に対するカラー画像撮影モードと蛍光画像撮影モードとを兼用でき、カラー撮影モードの場合には色信号と輝度信号を選択し、蛍光撮影モードの場合には輝度信号を選択して記録する。
【図面の簡単な説明】
【図１】眼底撮影装置の構成図である。
【図２】第１の実施例による電子画像記録装置のブロック回路構成図である。
【図３】カラー眼底像の説明図である。
【図４】カラー眼底像の走査線信号のタイムチャート図である。
【図５】蛍光眼底像の説明図である。
【図６】蛍光眼底像の色信号を除かない走査線信号のタイムチャート図である。
【図７】蛍光眼底像の色信号を除いた走査線信号のタイムチャート図である。
【図８】色信号選択装置の回路図である。
【図９】第２の実施例のブロック回路構成図である。
【図１０】第３の実施例のブロック回路構成図である。
【図１１】第４の実施例のブロック回路構成図である。
【符号の説明】
１  光源
３  孔あきミラー
７  跳ね上げミラー
８  フィルム
１１  ファインダレンズ
１２  コントロールボックス
１６  入力装置
１７、２３、２４  線型結合回路
１８  画像処理回路
１９  除算器
２０、２７  乗算器
２２  ＲＧＢテレビモニタ
２６  平均演算器
２８  カラーテレビカメラ
２９  色信号選択装置
３０  画像記録装置
３１  撮影モード選択装置
３２  記録モード選択装置
３３  ノッチフィルタ
３４  フィルタ検知装置
３５  テレビカメラ
【図１】
0003624181.tif 000002
【図２】
0003624181.tif 000003
【図３】
0003624181.tif 000004
【図４】
0003624181.tif 000005
【図５】
0003624181.tif 000006
【図６】
0003624181.tif 000007
【図７】
0003624181.tif 000008
【図８】
0003624181.tif 000009
【図９】
0003624181.tif 000010
【図１０】
0003624181.tif 000011
【図１１】
0003624181.tif 000012